(57)【要約】【課題】遊技媒体の搬送と振り分けを共通の駆動機構にて行う。【解決手段】本発明は、第１供給路まで遊技媒体を案内する第１ガイドと、前記第１供給路とは異なる第２供給路まで前記遊技媒体を案内する第２ガイドと、前記遊技媒体と接触しながら前記第１ガイド又は前記第２ガイドに沿って移動する接触部を有する回転体と、前記回転体を第１方向又は前記第１方向とは逆方向である第２方向に回転させる駆動機構と、を備え、前記回転体を前記第１方向に回転させ、前記第１ガイドに沿って前記接触部を移動させることにより、前記遊技媒体を前記第１ガイドに沿って前記第１供給路まで搬送する第１搬送動作と、前記回転体を前記第２方向に回転させ、前記第２ガイドに沿って前記接触部を移動させることにより、前記遊技媒体を前記第２ガイドに沿って前記第２供給路まで搬送する第２搬送動作とを選択的に行う。【選択図】図２
2014151131.tif 000002
【特許請求の範囲】
【請求項１】
第１供給路まで遊技媒体を案内する第１ガイドと、
前記第１供給路とは異なる第２供給路まで前記遊技媒体を案内する第２ガイドと、
前記遊技媒体と接触しながら前記第１ガイド又は前記第２ガイドに沿って移動する接触部を有する回転体と、
前記回転体を第１方向又は前記第１方向とは逆方向である第２方向に回転させる駆動機構と、
を備え、
前記回転体を前記第１方向に回転させ、前記第１ガイドに沿って前記接触部を移動させることにより、前記遊技媒体を前記第１ガイドに沿って前記第１供給路まで搬送する第１搬送動作と、
前記回転体を前記第２方向に回転させ、前記第２ガイドに沿って前記接触部を移動させることにより、前記遊技媒体を前記第２ガイドに沿って前記第２供給路まで搬送する第２搬送動作と
を選択的に行う
ことを特徴とする遊技装置。
【請求項２】
請求項１に記載の遊技装置であって、
遊技媒体を用いたプレイフィールドを提供する第１装置と、
前記遊技媒体を用いたプレイフィールドを提供する第２装置と、
を備え、
前記第１搬送動作又は前記第２搬送動作を選択的に行うことによって、前記第１装置及び前記第２装置から排出された前記遊技媒体を前記第１装置の前記第１供給路又は前記第２装置の前記第２供給路へ振り分けて搬送する
ことを特徴とする遊技装置。
【請求項３】
請求項１又は２に記載の遊技装置であって、
前記第１搬送動作及び前記第２搬送動作によって、前記遊技媒体が持ち上げられて搬送されることを特徴とする遊技装置。
【請求項４】
請求項３に記載の遊技装置であって、
前記回転体の回転軸は、水平方向であることを特徴とする遊技装置。
【請求項５】
請求項３又は４に記載の遊技装置であって、
前記第１搬送動作又は前記第２搬送動作の開始前には、前記接触部が上側に位置するように前記回転体が待機位置に位置しており、
前記第１搬送動作又は前記第２搬送動作の後には、前記回転体が前記待機位置に位置する
ことを特徴とする遊技装置。
【請求項６】
請求項１〜５のいずれかに記載の遊技装置であって、
前記第１ガイドに沿って移動する前記遊技媒体を、前記第１ガイドに沿う方向から別の方向に誘導する第１誘導部と、
前記第２ガイドに沿って移動する前記遊技媒体を、前記第２ガイドに沿う方向から別の方向に誘導する第２誘導部と
を更に備えることを特徴とする遊技装置。
【請求項７】
請求項１〜６のいずれかに記載の遊技装置であって、
前記第１ガイド又は前記第２ガイドに複数の前記遊技媒体を蓄積し、蓄積した複数の前記遊技媒体を連ねた状態で前記接触部によって一緒に搬送することを特徴とする遊技装置。
【発明の詳細な説明】
【技術分野】
【０００１】
本発明は、遊技装置に関する。
【背景技術】
【０００２】
遊技者にプレイフィールドを提供するサテライトと呼ばれるユニットを筐体に複数備え、複数の遊技者が同時に遊技可能な大型の遊技装置が知られている。このような遊技装置では、複数のサテライトで遊技媒体を循環するため、共通の供給路から供給される遊技媒体を各サテライトへ振り分けることが行われる。
特許文献１には、搬送装置によってボールを搬送し、搬送されたボールを振り分け装置で振り分ける遊技装置が開示されている。
【先行技術文献】
【特許文献】
【０００３】
【特許文献１】特開２０１１−１２５４６０号公報
【発明の概要】
【発明が解決しようとする課題】
【０００４】
特許文献１のように、遊技媒体を搬送する搬送装置と、ボールを各サテライトへ振り分ける振り分け装置とを個別に用意すると、搬送装置を駆動するための駆動機構と、振り分け装置を駆動するための駆動機構とが必要になり、コストがかかってしまう。
本発明は、遊技媒体の搬送と振り分けを共通の駆動機構にて行うことを目的とする。
【課題を解決するための手段】
【０００５】
上記目的を達成するための主たる発明は、第１供給路まで遊技媒体を案内する第１ガイドと、前記第１供給路とは異なる第２供給路まで前記遊技媒体を案内する第２ガイドと、前記遊技媒体と接触しながら前記第１ガイド又は前記第２ガイドに沿って移動する接触部を有する回転体と、前記回転体を第１方向又は前記第１方向とは逆方向である第２方向に回転させる駆動機構と、を備え、前記回転体を前記第１方向に回転させ、前記第１ガイドに沿って前記接触部を移動させることにより、前記遊技媒体を前記第１ガイドに沿って前記第１供給路まで搬送する第１搬送動作と、前記回転体を前記第２方向に回転させ、前記第２ガイドに沿って前記接触部を移動させることにより、前記遊技媒体を前記第２ガイドに沿って前記第２供給路まで搬送する第２搬送動作とを選択的に行うことを特徴とする遊技装置である。
本発明の他の特徴については、本明細書及び図面の記載により明らかにする。
【図面の簡単な説明】
【０００６】
【図１】図１は、遊技装置１００の概要を説明するための概要説明図である。
【図２】図２は、振り分け装置１の斜視図である。
【図３】図３は、振り分け装置１を前から見た図である。
【図４】図４は、第１ガイド２０Ａの構成の概略説明図である。
【図５】図５は、振り分け装置１のブロック図である。
【図６】図６は、ボールを第１供給路１５Ａまで搬送する第１搬送動作の状態の斜視図である。
【図７】図７は、ボールを第１供給路１５Ａまで搬送する第１搬送動作の状態の斜視図である。
【図８】図８は、ボールを第１供給路１５Ａまで搬送する第１搬送動作の状態の斜視図である。
【図９】図９Ａ〜図９Ｄは、第１搬送動作の説明図である。図９Ａは、図２（又は図３）の初期状態を簡易的に示している。図９Ｂは、図６の状態を簡易的に示している。図９Ｃは、図７の状態を簡易的に示している。図９Ｄは、図８の状態を示している。
【図１０】図１０Ａ〜図１０Ｄは、ボールを第２供給路１５Ｂまで搬送する第２搬送動作の説明図である。図１０Ａは、振り分け装置１の初期状態の説明図である。図１０Ｂは、接触ピン３１がボールに接触した直後の様子の説明図である。図１０Ｃは、ボールが第２ガイド２０Ｂに沿って移動する様子の説明図である。図１０Ｄは、ボールが第２供給路１５Ｂまで搬送された直後の様子の説明図である。
【図１１】図１１は、ボールが第１ガイド２０Ａを移動するときのボールと接触ピン３１との位置関係の概略説明図である。
【図１２】図１２Ａは、「遊び」が有る状態におけるボールと接触ピン３１との位置関係の比較例である。図１２Ｂは、「遊び」が有る状態におけるボールと接触ピン３１との位置関係の改良例である。
【図１３】図１３Ａ〜図１３Ｅは、第２実施形態の振り分け装置１の第１搬送動作の説明図である。
【図１４】図１４Ａ〜図１４Ｉは、第３実施形態の振り分け装置１の第１搬送動作の説明図である。
【図１５】図１５は、第４実施形態の振り分け装置１の説明図である。
【発明を実施するための形態】
【０００７】
本明細書及び図面の記載により、少なくとも以下の事項が明らかとなる。
第１供給路まで遊技媒体を案内する第１ガイドと、前記第１供給路とは異なる第２供給路まで前記遊技媒体を案内する第２ガイドと、前記遊技媒体と接触しながら前記第１ガイド又は前記第２ガイドに沿って移動する接触部を有する回転体と、前記回転体を第１方向又は前記第１方向とは逆方向である第２方向に回転させる駆動機構と、を備え、前記回転体を前記第１方向に回転させ、前記第１ガイドに沿って前記接触部を移動させることにより、前記遊技媒体を前記第１ガイドに沿って前記第１供給路まで搬送する第１搬送動作と、前記回転体を前記第２方向に回転させ、前記第２ガイドに沿って前記接触部を移動させることにより、前記遊技媒体を前記第２ガイドに沿って前記第２供給路まで搬送する第２搬送動作とを選択的に行うことを特徴とする遊技装置が明らかとなる。
このような遊技装置によれば、遊技媒体の搬送と振り分けを共通の駆動機構にて行うことができる。
【０００８】
前記遊技装置は、遊技媒体を用いたプレイフィールドを提供する第１装置と、前記遊技媒体を用いたプレイフィールドを提供する第２装置と、を備え、前記第１搬送動作又は前記第２搬送動作を選択的に行うことによって、前記第１装置及び前記第２装置から排出された前記遊技媒体を前記第１装置の前記第１供給路又は前記第２装置の前記第２供給路へ振り分けて搬送することが望ましい。これにより、第１装置及び第２装置の間で遊技媒体を循環させることができる。
【０００９】
また、前記第１搬送動作及び前記第２搬送動作によって、前記遊技媒体が持ち上げられて搬送されることが望ましい。これにより、第１装置又は第２装置内で遊技媒体が重力に従って移動する場合には、第１装置又は第２装置の遊技媒体の排出口が供給口よりも下側に配置されるが、このような場合においても、排出口から排出された遊技媒体を供給口に供給することが可能になる。
【００１０】
前記回転体の回転軸は、水平方向であることが望ましい。これにより、効率よく遊技媒体を高く持ち上げて搬送することができる。
【００１１】
前記第１搬送動作又は前記第２搬送動作の開始前には、前記接触部が上側に位置するように前記回転体が待機位置に位置しており、前記第１搬送動作又は前記第２搬送動作の後には、前記回転体が前記待機位置に位置することが望ましい。これにより、次の搬送動作も同様に行うことが可能になる。
【００１２】
前記第１ガイドに沿って移動する前記遊技媒体を、前記第１ガイドに沿う方向から別の方向に誘導する第１誘導部と、前記第２ガイドに沿って移動する前記遊技媒体を、前記第２ガイドに沿う方向から別の方向に誘導する第２誘導部とを更に備えることが望ましい。これにより、搬送された遊技媒体を接触部から離すことができる。
【００１３】
前記第１ガイド又は前記第２ガイドに複数の前記遊技媒体を蓄積し、蓄積した複数の前記遊技媒体を連ねた状態で前記接触部によって一緒に搬送することが望ましい。これにより、１回の搬送動作で複数のボールを搬送できる。
【００１４】
＝＝＝第１実施形態＝＝＝
＜全体構成＞
図１は、遊技装置１００の概要を説明するための概要説明図である。ここでは説明の簡略化のため遊技装置１００は２台のサテライト１０１を備えているだけであるが、例えば円形状の台座を有する筐体に６〜１０台のサテライトを円周上に配置した大型遊技装置であっても良い。
【００１５】
遊技装置１００は、第１サテライト１０１Ａ、第２サテライト１０１Ｂ及び振り分け装置１を備えている。
【００１６】
各サテライト１０１（第１サテライト１０１Ａ及び第２サテライト１０１Ｂ）は、それぞれ、遊技者が遊戯するためのプレイフィールドを提供するユニットである。例えば、各サテライト１０１は、遊技者が操作するための操作盤とスマートボールのような盤面とを有するユニットであり、各サテライト１０１において、遊技者の操作に応じてボール（遊技媒体）を盤面に投入することや、ボールの入ったチャッカー（入賞口）に応じて遊技者に得点を与えること等が行われる。
【００１７】
各サテライト１０１は、プレイフィールドに遊技媒体を供給するための供給口１０２と、プレイフィールドから回収したボールを排出する排出口１０３とを備えている。なお、プレイフィールド内では遊技媒体が重力に従って移動するのが一般的であるため、排出口１０３が供給口１０２よりも下側になることが通常である。
【００１８】
各サテライト１０１の排出口１０３から排出されたボールは、２台のサテライト１０１に共通の貯留部（図１では不図示）に回収される。貯留部に貯留されたボールは、振り分け装置１によって各サテライト１０１の供給口１０２まで振り分けられて搬送される。遊技装置１００が振り分け装置１を備えることにより、２台のサテライト１０１間でボールを循環させることが可能になる。
【００１９】
＜振り分け装置１の構成＞
図２は、振り分け装置１の斜視図である。図３は、振り分け装置１を前から見た図である。
【００２０】
以下の説明では、図２及び図３に示すように各方向を定義する。すなわち、重力方向を「上下方向」とし、重力に従って「上」と「下」を定義する。また、アーム３０の回転軸と平行な方向を「前後方向」とし、ボール供給路１２から見て待機台１３のある側（ボール供給路１２におけるボールの移動方向下流側）を「前」とし、逆側を「後」とする。また、上下方向及び前後方向に垂直な方向を「左右方向」とし、前側から見たときを基準にして「右」と「左」を定義する。また、前側から見たときを基準にして、アーム３０の回転方向の「時計方向」と「反時計方向」を定義する。
【００２１】
振り分け装置１は、共通の貯留部１１に貯留されたボールを第１サテライト１０１Ａ又は第２サテライト１０１Ｂへ振り分ける装置である。本実施形態の振り分け装置１は、ボールを振り分ける振り分け動作だけでなく、各サテライト１０１の供給口１０２までボールを搬送する搬送動作も行う。
【００２２】
振り分け装置１は、ボール供給路１２と、第１ガイド２０Ａ及び第２ガイド２０Ｂと、アーム３０と、駆動機構４０とを有する。振り分け装置１の上部には、誘導板２７と、第１供給路１５Ａ及び第２供給路１５Ｂとが設けられている。また、振り分け装置１の下部には、第１回収路１６Ａ及び第２回収路１６Ｂが設けられている。また、振り分け装置１は、ボールの有無を検出するボール検出センサ５０と、アーム３０の回転位置を検出する位置検出センサ６０と、振り分け装置１の動作を制御する制御部７０（図５参照）とを更に有する。
【００２３】
ボール供給路１２は、貯留部１１からボールを供給するための通路である。ボール供給路１２は、ボールの直径より幅が若干大きい溝状（又は管状）の形状をしており、ボール供給路１２ではボールが一列に並んでいる。ボール供給路１２は前側ほど下になるように傾斜しており、ボール供給路１２のボールは、前側に向かって移動しようとする。背面板５に供給穴が形成されており、この供給穴の前方に待機台１３が設けられている。ボール供給路１２の先頭のボールは待機台１３上にあり、先頭のボールが待機台１３から移動すると、次のボールがボール供給路１２から押し出されて待機台１３に移動することになる。待機台１３は、ボール供給路１２から供給されるボールが勝手に移動しないように、先頭のボールを左右方向に緩やかに拘束している。
【００２４】
第１ガイド２０Ａは、第１サテライト１０１Ａへボールを供給する第１供給路１５Ａまでボールを案内するための部材である。図４は、第１ガイド２０Ａの構成の概略説明図である。
第１ガイド２０Ａは、第１ガイド面２１Ａと、第１ガイドバー２２Ａと、一対の側面２３Ａとを有し、これらの部材によってボールを円弧状に案内する第１案内路２５Ａが形成されている。第１ガイド面２１Ａは、円筒形状のドラム３の右側外周面によって構成されたガイド面である。第１ガイドバー２２Ａは、第１ガイド面２１Ａの外側で第１ガイド面２１Ａに対向して配置された円弧形状のガイドバーであり、背面板５に取り付けられている。なお、ボールは、第１ガイド面２１Ａと第１ガイドバー２２Ａとの間を通過することになる。一対の側面２３Ａは、第１ガイド面２１Ａと第１ガイドバー２２Ａの間のボールを前後方向から抑えるための部材である。後側の側面は、背面板５によって構成されている。言い換えると、第１ガイド２０Ａは、第１ガイド面２１Ａ及び一対の側面２３Ａによって断面Ｕ字状の溝型の案内路が構成され、その溝型の案内路は開放側を外側にして円弧状に形成され、開放側に第１ガイドバー２２Ａが配置されている。
【００２５】
前側から第１ガイド２０Ａを見たとき、一対の側面２３Ａの前側の側面とガイドバーとの間に隙間が形成されている。この隙間から接触ピン３１（後述）が第１案内路２５Ａに差し込まれ、第１ガイド面２１Ａと第１ガイドバー２２Ａとの間にあるボールが接触ピン３１で押されて第１案内路２５Ａを移動することになる。
【００２６】
第２ガイド２０Ｂは、第２サテライト１０１Ｂへボールを供給する第２供給路１５Ｂまでボールを案内するための部材である（図２、図３参照）。第２ガイド２０Ｂは、第１ガイド２０Ａと左右対称の構成になっており、第２ガイド面２１Ｂ、第２ガイドバー２２Ｂ及び一対の側面２３Ｂを有し、これらの部材によって第２案内路２５Ｂが形成されている。なお、背面板５に円筒形状のドラム３が取り付けられており、ドラム３の右側半分を第１ガイド２０Ａとし、ドラム３の左側半分を第２ガイド２０Ｂとしている。また、背面板５は、第１ガイド２０Ａ及び第２ガイド２０Ｂの後側の側面を構成している。
【００２７】
アーム３０は、回転軸を中心に回転する回転体である。アーム３０の一端には、後側に接触ピン３１が取り付けられている。接触ピン３１は、ボールと接触してボールを押すための部位（接触部）である。アーム３０の回転軸は、第１ガイド面２１Ａ及び第２ガイド面２１Ｂを構成するドラム３の軸とほぼ同じ位置である。このため、アーム３０が回転すると、第１ガイド２０Ａの第１案内路２５Ａ及び第２ガイド２０Ｂの第２案内路２５Ｂに沿って接触ピン３１が移動することになる。なお、接触ピン３１とは反対側のアーム３０の一端には、位置検出センサ６０の検出光を遮るための遮光片３２（図６も参照）が形成されている。
【００２８】
駆動機構４０は、アーム３０を回転させる駆動部である。駆動機構４０は、モーター４１と、カップリング若しくはギア（不図示）とを有し、モーター４１を正転又は逆転させることによって、アーム３０を時計方向又は反時計方向に回転させることができる。なお、モーター４１を逆転させるのではなく、ギアを切り替えることによってアーム３０を両方向に回転可能にしても良い。
【００２９】
振り分け装置１の上部に設けられた誘導板２７は、接触ピン３１によって上まで搬送されたボールを後側に誘導する板状の部材である。誘導板２７の右側には、第１ガイド２０Ａを経由して搬送されたボールを後側に誘導する第１誘導部２７Ａが形成されている。誘導板２７の左側には、第２ガイド２０Ｂを経由して搬送されたボールを後側に誘導する第２誘導部２７Ｂが形成されている。
【００３０】
振り分け装置１の上部に設けられた第１供給路１５Ａは、第１サテライト１０１Ａの供給口１０２までボールを供給するための通路である。第１供給路１５Ａは、第１ガイド２０Ａを経由して搬送されたボールを供給口１０２まで転がせるように、傾斜した通路になっている。同様に、第２供給路１５Ｂは、第２サテライト１０１Ｂの供給口１０２までボールを供給するための通路である。第２供給路１５Ｂは、第２ガイド２０Ｂを経由して搬送されたボールを供給口１０２まで転がせるように、傾斜した通路になっている。
【００３１】
振り分け装置１の下部には、第１回収路１６Ａ及び第２回収路１６Ｂが設けられている。第１回収路１６Ａは、第１サテライト１０１Ａの排出口１０３から排出されたボールを回収するための通路である。第２回収路１６Ｂは、第２サテライト１０１Ｂの排出口１０３から排出されたボールを回収するための通路である。第１回収路１６Ａ及び第２回収路１６Ｂから回収されたボールは、貯留部１１に集められ、ボール供給路１２で一列に並び、待機台１３へ順に供給されることになる。
【００３２】
ボールの有無を検出するボール検出センサ５０として、第１供給センサ５１Ａ、第２供給センサ５１Ｂ、第１回収センサ５２Ａ、第２回収センサ５２Ｂ及び待機確認センサ５３が設けられている。第１供給センサ５１Ａは、第１供給路１５Ａに設けられており、第１供給路１５Ａから供給するボールを検出する（つまり、第１サテライト１０１Ａへ供給するボールを検出する）。第２供給センサ５１Ｂは、第２供給路１５Ｂに設けられており、第２供給路１５Ｂから供給するボールを検出する。第１回収センサ５２Ａは、第１回収路１６Ａに設けられており、第１回収路１６Ａで回収されたボールを検出する（つまり、第１サテライト１０１Ａから排出されたボールを検出する）。第２回収センサ５２Ｂは、第２回収路１６Ｂに設けられており、第２回収路１６Ｂで回収されたボールを検出する。待機確認センサ５３は、待機台１３の近傍に設けられており、待機台１３のボールの有無を検出し、ボールが無い場合にはエラー信号を出力する。ボール検出センサ５０がボールを検出すると、ボール検出センサ５０は検出信号を制御部７０に出力する。
【００３３】
アーム３０の回転位置を検出する位置検出センサ６０として、初期位置検出センサ６１、第１位置検出センサ６２Ａ及び第２位置検出センサ６２Ｂが設けられている。３つの位置検出センサ６０は背面板５に設けられている。初期位置検出センサ６１は、アーム３０が初期位置にあることを検出するセンサであり、３つの位置検出センサ６０のうちの中央に位置している。第１位置検出センサ６２Ａは、ボールが第１誘導部２７Ａに到達する直前のアーム３０の回転位置を検出するセンサであり、初期位置検出センサ６１の左側に位置している。第２位置検出センサ６２Ｂは、ボールが第２誘導部２７Ｂに到達する直前のアーム３０の回転位置を検出するセンサであり、初期位置検出センサ６１の右側に位置している。いずれの位置検出センサ６０とも、発光部及び受光部から構成されている。３つの位置検出センサ６０は、アーム３０の遮光片３２が発光部と受光部の間に入ることによって検出光が遮られたことを検出することによって、アーム３０の回転位置を検出する。
【００３４】
図５は、振り分け装置１のブロック図である。
制御部７０は、ＣＰＵ等の演算部７１や、メモリ等の記憶部７２を有し、振り分け装置１の制御を司る。メモリには各種のデータやプログラムが記憶されている。制御部７０は、記憶部７２に記憶されているプログラムを演算部７１が読み出して実行することによって振り分け装置１の駆動機構４０を制御し、各種機能を実現する。特に、制御部７０は、駆動機構４０のモーター４１を制御することによって、後述する第１搬送動作及び第２搬送動作を選択的に実現している。
【００３５】
制御部７０は、駆動機構４０の駆動（モーター４１の回転の要否、回転方向及び回転速度など）を制御する。また、制御部７０は、位置検出センサ６０の検出信号に基づいて、駆動機構４０の駆動タイミング（駆動開始、駆動停止、方向・速度の変更などのタイミング）を制御する。
【００３６】
また、制御部７０は、ボール検出センサ５０の検出信号に基づいて、ボールの数をカウントする。例えば、第１回収センサ５２Ａの検出信号に基づいて、第１サテライト１０１Ａから排出されたボールの数（排出数）をカウントする。また、例えば第１供給センサ５１Ａの検出信号に基づいて、第１サテライト１０１Ａへ供給したボールの数（供給数）をカウントする。また、制御部７０は、ボールのカウント結果に基づいて、駆動機構４０を制御する。例えば、制御部７０は、各サテライト１０１の供給数と排出数との差が一定になるように、駆動機構４０を制御して、後述する第１搬送動作及び第２搬送動作を選択的に行う。また、制御部７０は、待機確認センサの検出結果に基づいて、ボールが無い場合にはエラー処理を行う。
【００３７】
制御部７０は、ボール検出センサ５０の検出信号に基づいて駆動機構４０を制御する代わりに、各サテライト１０１からの指令信号に応じて駆動機構４０を制御して、後述する第１搬送動作及び第２搬送動作を選択的に行っても良い。このようにボール検出センサ５０の検出信号に基づいてボールのカウントをしなくて良い場合は、振り分け装置１はボール検出センサ５０を備えていなくても良い。
【００３８】
＜振り分け装置１の動作（第１搬送動作及び第２搬送動作）＞
図６〜図８は、ボールを第１供給路１５Ａまで搬送する第１搬送動作の状態の斜視図である。図９Ａ〜図９Ｄは、第１搬送動作の説明図である。図９Ａは、図２（又は図３）の初期状態を簡易的に示している。図９Ｂは、図６の状態を簡易的に示している。図９Ｃは、図７の状態を簡易的に示している。図９Ｄは、図８の状態を示している。  
【００３９】
以下に説明するように、第１搬送動作では、制御部７０は、アーム３０を反時計方向（第１方向）に回転させ、接触ピン３１を第１ガイド２０Ａに沿って移動させ、接触ピン３１に押されたボールを第１ガイド２０Ａに沿って移動させることによって、ボールを第１供給路１５Ａまで搬送する。
【００４０】
図２及び図９Ａに示すように、初期状態では、接触ピン３１は上側に位置している。前から見ると、接触ピン３１は、第１供給路１５Ａと第２供給路１５Ｂの間に位置している。待機台１３には、ボール供給路１２の先頭のボールが待機している。第１サテライト１０１Ａへボールを搬送するとき、制御部７０は、このような初期状態から駆動機構４０の駆動を開始して、アーム３０を反時計方向（第１方向）に回転させる。
【００４１】
初期状態からアーム３０が反時計方向に回転すると、接触ピン３１は、第２ガイド２０Ｂの第２案内路２５Ｂに沿って下側に移動し、その後、図６及び図９Ｂに示すように待機台１３のボールの左側に接触し、ボールを右側へ押して移動させる。
【００４２】
図７及び図９Ｃに示すように、接触ピン３１によって待機台１３から右側に押されたボールは、第１ガイド２０Ａによって案内される。このとき、ボールは、接触ピン３１に押されて第１ガイド２０Ａの第１案内路２５Ａに沿って上側に移動する。接触ピン３１は、ボールの下側を押しながら上側に移動するため、ボールは接触ピン３１に持ち上げられるように搬送される。
なお、待機台１３のボールが接触ピン３１によって右側に移動して待機台１３から離れると、次のボールがボール供給路１２から押し出されて待機台１３に移動する（図７及び図９Ｃ参照）。
【００４３】
図８及び図９Ｄに示すように、ボールが振り分け装置１の上部の誘導板２７の第１誘導部２７Ａまで到達すると、第１誘導部２７Ａによってボールが後側に誘導され、ボールが接触ピン３１から離れる。接触ピン３１から離れたボールは、傾斜した第１供給路１５Ａを転がり、第１サテライト１０１Ａの供給口１０２に供給される。つまり、ボールが第１サテライト１０１Ａに振り分けられる。
【００４４】
図１０Ａ〜図１０Ｄは、ボールを第２供給路１５Ｂまで搬送する第２搬送動作の説明図である。図１０Ａは、振り分け装置１の初期状態の説明図である。図１０Ｂは、接触ピン３１がボールに接触した直後の様子の説明図である。図１０Ｃは、ボールが第２ガイド２０Ｂに沿って移動する様子の説明図である。図１０Ｄは、ボールが第２供給路１５Ｂまで搬送された直後の様子の説明図である。
【００４５】
以下に説明するように、第２搬送動作では、制御部７０は、アーム３０を時計方向（第２方向）に回転させ、接触ピン３１を第２ガイド２０Ｂに沿って移動させ、接触ピン３１に押されたボールを第２ガイド２０Ｂに沿って移動させることによって、ボールを第２供給路１５Ｂまで搬送する。つまり、第２搬送動作では、制御部７０は、アーム３０の回転方向が第１搬送動作とは逆になるように駆動機構４０を制御する。
【００４６】
図１０Ａに示す初期状態は、図９Ａと同様である。但し、第２サテライト１０１Ｂへボールを搬送するとき、制御部７０は、図９Ａのときとは逆方向にモーター４１を駆動して、アーム３０を時計方向（第２方向）に回転させる。
【００４７】
初期状態からアーム３０が時計方向に回転すると、接触ピン３１は、第１ガイド２０Ａの第１案内路２５Ａに沿って下側に移動し、その後、図１０Ｂに示すように待機台１３のボールの右側に接触し、ボールを左側へ押して移動させる。
【００４８】
図１０Ｃに示すように、接触ピン３１によって待機台１３から左側に押されたボールは、第２ガイド２０Ｂによって案内される。このとき、ボールは接触ピン３１に押されて第２ガイド２０Ｂの第２案内路２５Ｂに沿って上側に移動する。接触ピン３１は、ボールの下側を押しながら上側に移動するため、ボールは接触ピン３１に持ち上げられるように搬送される。待機台１３のボールが接触ピン３１によって左側に移動して待機台１３から離れると、次のボールがボール供給路１２から押し出されて待機台１３に移動する（図１０Ｃ参照）。
【００４９】
図１０Ｄに示すように、ボールが振り分け装置１の上部の誘導板２７の第２誘導部２７Ｂまで到達すると、第２誘導部２７Ｂによってボールが後側に誘導され、ボールが接触ピン３１から離れる。接触ピン３１から離れたボールは、傾斜した第２供給路１５Ｂを転がり、第２サテライト１０１Ｂの供給口１０２に供給される。つまり、ボールが第２サテライト１０１Ｂに振り分けられる。
【００５０】
制御部７０は、第１搬送動作時（図９Ａ〜図９Ｄ参照）には駆動機構４０にアーム３０を反時計方向に１回転させ、第２搬送動作時（図１０Ａ〜図１０Ｄ参照）には駆動機構４０にアーム３０を時計方向に１回転させる。つまり、制御部７０は、搬送動作を開始した後、アーム３０の遮光片３２が初期位置検出センサ６１の検出光を再び遮るまで駆動機構４０のモーター４１を駆動させ、初期位置検出センサ６１がアーム３０の遮光片３２を検出したときに駆動機構４０のモーター４１を停止させる。この結果、アーム３０は、第１搬送動作及び第２搬送動作のいずれの搬送動作後においても、初期状態の位置に戻る（図９Ａ及び図１０Ａ参照）。なお、搬送動作中に次のボールが既に待機台１３に待機しているため（図９Ｃ及び図１０Ｃ参照）、搬送動作後の状態は、搬送動作前の初期状態（図９Ａ及び図１０Ａ参照）と同じ状態になる。このため、次の搬送動作も同様の手順で行うことが可能である。
【００５１】
制御部７０は、第１搬送動作時には、第１位置検出センサ６２Ａがアーム３０の遮光片３２を検出した段階でアーム３０の回転速度を遅くするように、駆動機構４０を減速させる。これにより、ボールが誘導板２７の第１誘導部２７Ａと接触ピン３１との間で挟まる状態（ボールが詰まる状態）を回避できる。同様に、制御部７０は、第２搬送動作時には、第２位置検出センサ６２Ｂがアーム３０の遮光片３２を検出した段階でアーム３０の回転速度を遅くするように、駆動機構４０を減速させる。なお、アーム３０の回転速度を遅くするのではなく、第１位置検出センサ６２Ａがアーム３０の遮光片３２を検出した段階でアーム３０の回転を一旦停止しても良い。
【００５２】
＜ボールと接触ピン３１の位置関係について＞
図１１は、ボールが第１ガイド２０Ａを移動するときのボールと接触ピン３１との位置関係の概略説明図である。ここでは、説明の簡略化のため、第１ガイド２０Ａの第１ガイド面２１Ａと第１ガイドバー２２Ａとの間隔はボールの直径と等しい。つまり、ボールが第１ガイド面２１Ａと第１ガイドバー２２Ａの両方に接触し、「遊び」が無い状態にしている。
【００５３】
図中の一点鎖線は、第１ガイド２０Ａの第１ガイド面２１Ａと第１ガイドバー２２Ａの中間位置を示している。ここでは、接触ピン３１は一点鎖線上を移動し、一点鎖線は接触ピン３１の軌跡と一致する。この場合、接触ピン３１は、ボールの中心を押すようになり、第１ガイド２０Ａ（又は第２ガイド２０Ｂ）でボールが詰まりにくくなる。
【００５４】
但し、実際には、第１ガイド面２１Ａと第２ガイドバー２２Ｂとの間隔はボールの直径よりも広く、「遊び」が有る状態である。図１２Ａは、「遊び」が有る状態におけるボールと接触ピン３１との位置関係の比較例である。図中の一点鎖線は、第１ガイド２０Ａの第１ガイド面２１Ａと第１ガイドバー２２Ａの中間位置を示している。この比較例では、接触ピン３１は一点鎖線上を移動し、一点鎖線は接触ピン３１の軌跡と一致する。
【００５５】
図１２Ａにおいて第１ガイド２０Ａの下側をボールが移動するとき、ボールは、第１ガイドバー２２Ａ（第１ガイド２０Ａの第１案内路２５Ａの外側）と接触している。このとき、ボールの中心は、一点鎖線よりも外側に位置している。このため、図示するように接触ピン３１が一点鎖線上を移動すると、ボールの中心位置を押すことができない。更にこの場合、ボールは、接触ピン３１から第１ガイドバー２２Ａの側（第１ガイド２０Ａと接触している側）に力を受けてしまい、第１ガイド２０Ａでボールが詰まりやすくなる。
【００５６】
一方、図１２Ａにおいて第１ガイド２０Ａの上側をボールが移動するとき、ボールは、第１ガイド面２１Ａ（第１ガイド２０Ａの第１案内路２５Ａの内側）と接触している。このとき、ボールの中心は、一点鎖線よりも内側に位置している。このため、図示するように接触ピン３１が一点鎖線上を移動すると、ボールの中心位置を押すことができない。更にこの場合、ボールは、接触ピン３１から第１ガイド面２１Ａの側に力を受けてしまい、第１ガイド２０Ａでボールが詰まりやすくなる。
【００５７】
図１２Ｂは、「遊び」が有る状態におけるボールと接触ピン３１との位置関係の改良例である。改良例では、第１ガイド２０Ａの下側をボールが移動するときには、接触ピン３１は一点鎖線よりも外側を移動している。また、第１ガイド２０Ａの上側をボールが移動するときには、接触ピン３１は一点鎖線よりも内側を移動している。これにより、この改良例では、接触ピン３１は、比較例よりも、ボールがガイドと接触する接触点（ボールが下側を移動するときは第１ガイドバー２２Ａ、上側を移動するときは第１ガイド面２１Ａ）に近くなっている。このため、改良例では、比較例よりも第１ガイド２０Ａでボールが詰まりにくくなる。
【００５８】
なお、図１２Ｂに示す改良例のように接触ピン３１を移動させるために、アーム３０（図１２Ｂでは不図示）の回転軸は、円筒形状の第１ガイド面２１Ａの中心軸（若しくは円弧形状の第１ガイドバー２２Ａの中心）よりも若干下側に位置させると良い。若しくは、円を描く接触ピン３１の軌跡に対し、第１ガイド２０Ａの案内路２５Ａを楕円形状に歪ませても良い。
【００５９】
＜小括＞
第１実施形態の振り分け装置１は、第１サテライト１０１Ａへボールを供給する第１供給路１５Ａまでボールを案内する第１ガイド２０Ａと、第２サテライト１０１Ｂへボールを供給する第２供給路１５Ｂまでボールを案内する第２ガイド２０Ｂと、回転すると第１ガイド２０Ａ及び第２ガイド２０Ｂに沿って接触ピン３１が移動するアーム３０（回転体）と、回転体を反時計方向（第１方向）又は時計方向（第２方向）に回転させる駆動機構４０とを備えている。この振り分け装置１は、第１搬送動作の際に、アーム３０を反時計方向に回転させ、接触ピン３１を第１ガイド２０Ａに沿って移動させ、接触ピン３１に押されたボールを第１ガイド２０Ａに沿って移動させることによって、ボールを第１供給路１５Ａまで搬送する。また、振り分け装置１は、第２搬送動作の際に、アーム３０を時計方向に回転させ、接触ピン３１を第２ガイド２０Ｂに沿って移動させ、接触ピン３１に押されたボールを第２ガイド２０Ｂに沿って移動させることによって、ボールを第２供給路１５Ｂまで搬送する。振り分け装置１は、このような第１搬送動作と第２搬送動作とを選択的に行うことによって、第１サテライト１０１Ａ及び第２サテライト１０１Ｂから排出されたボールを第１サテライト１０１Ａ又は第２サテライト１０１Ｂに振り分け搬送する。  
【００６０】
このような振り分け装置１によれば、１つの駆動機構４０によって、２台のサテライトから回収されたボールを第１サテライト１０１Ａ又は第２サテライト１０１Ｂに振り分けることと、回収されたボールを第１供給路１５Ａ又は第２供給路１５Ｂまで搬送することの両方を行うことができる。
【００６１】
また、第１実施形態の振り分け装置１は、第１搬送動作及び第２搬送動作によって、ボールが下から上に持ち上げられて搬送される。各サテライト１０１のプレイフィールド内ではボールが重力に従って移動するので、各サテライト１０１の排出口１０３は供給口１０２よりも下側に配置されるため、振り分け装置１がボールを下から上に持ち上げて搬送することによって、各サテライト１０１の排出口１０３から排出されたボールを供給口１０２まで供給することが可能になる。
【００６２】
また、第１実施形態の振り分け装置１は、アーム３０（回転体）の回転軸が水平方向と平行な方向になっている。これにより、アーム３０の長さに対して、ボールを持ち上げて搬送する高さを高くできる。仮にアーム３０の回転軸が水平方向に対して斜めになっている場合、アーム３０の長さに対して、ボールを持ち上げて搬送する高さが低くなってしまう。つまり、アーム３０（回転体）の回転軸が水平方向と平行な方向になっているため、効率よくボールを持ち上げることが可能になる。
【００６３】
また、第１実施形態の振り分け装置１は、第１搬送動作又は第２搬送動作の開始前には、接触ピン３１が上側に位置するようにアーム３０が初期位置（待機位置）に位置しており、第１搬送動作又は第２搬送動作の後にはアームが初期位置に戻っている。このため、次の搬送動作も同様に行うことが可能になる。
【００６４】
また、第１実施形態の振り分け装置１は、第１誘導部２７Ａ及び第２誘導部２７Ｂを備えている。これにより、第１ガイド２０Ａ又は第２ガイド２０Ｂに沿って移動するボールを後側（第１ガイド２０Ａ又は第２ガイド２０Ｂに沿う方向とは別の方向）に誘導することができ、搬送されたボールを接触ピン３１から離すことができる。
【００６５】
また、第１実施形態の遊技装置１００は、第１サテライト１０１Ａ（第１装置）と、第２サテライト１０１Ｂ（第２装置）と、第１サテライト１０１Ａ及び第２サテライト１０１Ｂから排出されたボールを第１サテライト１０１Ａ又は第２サテライト１０１Ｂに振り分けて搬送する振り分け装置１とを備えている。これにより、１つの駆動機構４０によって、２台のサテライト１０１間でボールを循環させることが可能になる。
【００６６】
＝＝＝第２実施形態＝＝＝
図１３Ａ〜図１３Ｅは、第２実施形態の振り分け装置１の第１搬送動作の説明図である。第２実施形態では、１回の搬送動作で２個のボールを一緒に搬送する。第２実施形態の接触部３１’は、ピン形状ではなく、回転方向に長い形状をしている。これは、ボールを待機台１３から移動させている間に、接触部３１’でボール供給路１２を塞ぐためである。また、第２実施形態では、アーム３０が所定位置になったときにアーム３０の回転方向を逆転させる必要があるため、アーム３０の回転位置を検出する位置検出センサが適宜追加されている。
【００６７】
図１３Ａに示すように、初期状態では、接触部３１’は上側に位置している。待機台１３には、ボール供給路１２の先頭のボールが待機している。制御部７０は、このような初期状態から駆動機構４０の駆動を開始して、アーム３０を反時計方向（第１方向）に回転させる。
【００６８】
初期状態からアーム３０が反時計方向に回転すると、接触部３１’は、第２ガイド２０Ｂの第２案内路２５Ｂに沿って下側に移動し、その後、図１３Ｂに示すように待機台１３のボールの左側に接触し、ボールを右側へ押して移動させる。そして、制御部７０は、図１３Ｃに示すように、ボールが待機台１３から離れるまでアーム３０を反時計方向に回転させた後、モーター４１の回転方向を逆転させて、アーム３０を時計方向に回転させる。なお、図１３Ｃの状態では、接触部３１’によってボール供給路１２が塞がれている。待機台１３から右側に一旦押し出されたボールは、待機台１３の縁がストッパーになり、再び待機台１３には戻らず、図１３Ｃに示す位置に留まる。つまり、待機台１３から右側に一旦押し出されたボールは、第１ガイド２０Ａに蓄積される。
【００６９】
制御部７０は、図１３Ｄに示すように、接触部３１’がボール供給路１２を開放するまで、アーム３０を時計方向に回転させる。ボール供給路１２が開放されると、次のボールがボール供給路１２から押し出されて待機台１３に移動する。その後、制御部７０は、図１３Ｄに示すように、アーム３０の回転方向を反時計方向に戻す。そして、制御部７０がアーム３０を反時計方向に回転し続けると、図１３Ｅに示すように、２個の連なるボールが第１ガイド２０Ａで案内されながら接触部３１’に押されて搬送され、２個のボールが一緒に第１供給路１５Ａに搬送されることになる。
【００７０】
第２搬送動作では、制御部７０は、アーム３０の回転方向が第１搬送動作とは逆になるように、駆動機構４０を制御することになる。
【００７１】
上記の第２実施形態の振り分け装置１によれば、第１ガイド２０Ａ（又は第２ガイド２０Ｂ）に蓄積された２個のボールを連ねた状態で接触ピン３１によって一緒に搬送している。これにより、１回の搬送動作で２個のボールを搬送できる。
【００７２】
なお、ここでは２個の連なるボールを一緒に搬送しているが、待機台１３での接触部３１’の往復移動の回数を増やせば、２個以上に連なるボールを一緒に搬送することも可能である。
【００７３】
＝＝＝第３実施形態＝＝＝
図１４Ａ〜図１４Ｉは、第３実施形態の振り分け装置１の第１搬送動作の説明図である。説明のため、ボールには、ボール供給路１２から供給される順に番号を付している。なお、接触部３１’は第２実施形態と同じであるが、第１実施形態のようにピン状でも良い。
【００７４】
図１４Ａに示すように、初期状態では、接触部３１’は上側に位置している。待機台１３には、ボール供給路１２の先頭のボールが待機している。制御部７０は、このような初期状態から駆動機構４０の駆動を開始して、アーム３０を回転させ、接触部３１’を下側まで移動する。このときのアーム３０の回転方向は、時計方向でも良いし、反時計方向でも良い。
【００７５】
次に、図１４Ｂ〜図１４Ｆに示すように、制御部７０は、アーム３０を往復移動させて、ボール供給路１２を横切るように接触部３１’を往復移動させる。これにより、第１ガイド２０Ａ及び第２ガイド２０Ｂに多数のボールが蓄積されていく。ここでは、奇数番号の３個のボールが第１ガイド２０Ａに蓄積され、偶数番号の３個のボールが第２ガイド２０Ｂに蓄積されている。
【００７６】
次に、図１４Ｇに示すように、制御部７０は、アーム３０を反時計方向（第１方向）に回転させて、第１ガイド２０Ａに蓄積された３個のボールを第１ガイド２０Ａで案内しながら搬送し、３個の連なるボールを第１供給路１５Ａに搬送する。その後、図１４Ｈ及び図１４Ｉに示すように、制御部７０は、更にアーム３０を反時計方向に１回転させ、第２ガイド２０Ｂに蓄積された３個の連なるボールを第１ガイド２０Ａに移動させ、この３個のボールを第１ガイド２０Ａで案内しながら搬送し、３個の連なるボールを第１供給路１５Ａに搬送する。
【００７７】
第２搬送動作では、制御部７０は、アーム３０の回転方向が第１搬送動作とは逆になるように、駆動機構４０を制御することになる。
第３実施形態では、多量のボールを短時間に搬送することができる。
【００７８】
＝＝＝第４実施形態＝＝＝
図１５は、第４実施形態の振り分け装置１の説明図である。
【００７９】
第４実施形態の振り分け装置１は、４本のアーム３０を備えており、各アーム３０には接触部３１’が設けられている。制御部７０は、第１搬送動作時には駆動機構４０にアーム３０を反時計方向に回転させ、第２搬送動作時には駆動機構４０にアーム３０を時計方向に回転させる。
【００８０】
第４実施形態によれば、アーム３０を１回転させたときに搬送できるボールの数を増やすことができる。
【００８１】
＝＝＝その他＝＝＝
上記の実施形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。特に、以下のような形態も本発明に含まれる。
【００８２】
＜遊技装置１００について＞
前述の実施形態では、各サテライト１０１は、スマートボールのようなプレイフィールドを提供していたが、サテライト１０１のプレイフィールドはこれに限られるものではない。例えば、サテライト１０１は、パチンコ機や、ピンボール機のようなプレイフィールドを提供しても良い。
【００８３】
また、前述の振り分け装置１では、アーム３０の回転軸が水平方向と平行な方向であったが、これに限られるものではない。例えば、回転体の回転軸が水平方向に対して傾斜していても良いし、回転体の回転軸が鉛直方向であっても良い。但し、前述の振り分け装置１のようにアーム３０の回転軸が水平方向であれば、ボールを上方に高く持ち上げて搬送する際に有利である。
【００８４】
＜遊技媒体について＞
前述の実施形態では、遊技媒体としてボールが採用されていた。但し、遊技媒体は球形状に限られるものではない。例えば、遊技媒体が、円柱状、円筒状、角柱状、多面体などの別の形状であっても良い。
【００８５】
＜回転体について＞
前述の実施形態では、接触ピン３１を有する回転体がアーム状であったが、回転体はこの形状に限られるものではない。例えば、接触ピン３１を有する回転体が円板形状であっても良いし、他の形状でも良い。
【００８６】
＜第１供給路１５Ａ及び第２供給路１５Ｂについて＞
前述の実施形態では、第１サテライト１０１Ａにボールを供給する第１供給路１５Ａが振り分け装置１に設けられていた。但し、振り分け装置１に第１供給路１５Ａが設けられていなくても良い。同様に、振り分け装置１に第２供給路１５Ｂが設けられていなくても良い。
また、前述の実施形態では、第１供給路１５Ａ及び第２供給路１５Ｂがボールを供給する供給先が第１サテライト１０１Ａ及び第２サテライト１０１Ｂであったが、第１供給路１５Ａ及び第２供給路１５Ｂによるボールの供給先はこれに限られるものではなく、ボールの供給先が２以上のサテライトになっても良い。
【００８７】
＜第１ガイド２０Ａ及び第２ガイド２０Ｂについて＞
前述の実施形態では、第１ガイド２０Ａは、第１ガイド面２１Ａと、第１ガイドバー２２Ａと、一対の側面２３Ａとから構成されていた。但し、第１ガイドの構成は、これに限られるものではなく、他の構成でも良い。例えば、前側が開放された断面Ｕ字状の溝型の案内路を円弧状に形成することによって、第１ガイドを構成しても良い。第２ガイド２０Ｂについても同様である。
【符号の説明】
【００８８】
１  振り分け装置、３  ドラム、５  背面板、
１１  貯留部、１２  ボール供給路、１３  待機台、
１５Ａ  第１供給路、１５Ｂ  第２供給路、
１６Ａ  第１回収路、１６Ｂ  第２回収路、
２０Ａ  第１ガイド、２０Ｂ  第２ガイド、
２１Ａ  第１ガイド面、２１Ｂ  第２ガイド面、
２２Ａ  第１ガイドバー、２２Ｂ  第２ガイドバー、
２３Ａ，２３Ｂ  一対の側面、
２５Ａ  第１案内路、２５Ｂ  第２案内路、
２７  誘導板、２７Ａ  第１誘導部、２７Ｂ  第２誘導部、
３０  アーム、３１  接触ピン、３２  遮光片、
４０  駆動機構、４１  モーター、
５０  ボール検出センサ、
５１Ａ  第１供給センサ、５１Ｂ  第２供給センサ、
５２Ａ  第１回収センサ、５２Ｂ  第２回収センサ、
５３  待機確認センサ、
６０  位置検出センサ、６１  初期位置検出センサ、
６２Ａ  第１位置検出センサ、６２Ｂ  第２位置検出センサ、
７０  制御部、７１  演算部、７２  記憶部、
１００  遊技装置、
１０１  サテライト（１０１Ａ  第１サテライト、１０１Ｂ  第２サテライト）、
１０２  供給口、１０３  排出口
【図１】
2014151131.tif 000003
【図２】
2014151131.tif 000004
【図３】
2014151131.tif 000005
【図４】
2014151131.tif 000006
【図５】
2014151131.tif 000007
【図６】
2014151131.tif 000008
【図７】
2014151131.tif 000009
【図８】
2014151131.tif 000010
【図９】
2014151131.tif 000011
【図１０】
2014151131.tif 000012
【図１１】
2014151131.tif 000013
【図１２】
2014151131.tif 000014
【図１３】
2014151131.tif 000015
【図１４】
2014151131.tif 000016
【図１５】
2014151131.tif 000017